(57)【要約】【課題】留置中に抜去・キンク・破断が無く、また輸液の漏出や細菌感染の少なく、輸液セットとの着脱が容易な動物用の皮下輸液カテーテルを提供すること。【解決手段】細径カテーテルにおいて、基端部をファネル状となしてアダプタに接続し、ファネル状部に糸掛具を配し、糸掛具とアダプタ間のファネル状部を湾曲賦形せしめる。またファネル部の前方においてカテーテルに膨出部を設ける。さらに膨出部よりファネル基端部寄りのカテーテル、およびファネル状部の外表面を抗菌性素材とする。【選択図】図１
0003171083.tif 000002
【実用新案登録請求の範囲】
【請求項１】
先端が開口する単一内腔チューブと該チューブの基端部に設けられたアダプタとからなる細径カテーテルにおいて、カテーテル本体のファネル起始部近傍からファネル基端部に向い次第に拡径、厚肉化してファネル状となしたことを特徴とする皮下輸液カテーテル。
【請求項２】
ファネル状部において、少なくとも外表面が抗菌性素材でなることを特徴とする請求項第１項記載の皮下輸液カテーテル。
【請求項３】
ファネル状部に糸掛具を配したことを特徴とする請求項第１項記載の皮下輸液カテーテル。
【請求項４】
カテーテルのファネル起始部から先端口に向かう近傍位置に、カテーテルの膨出部を設けたことを特徴とする請求項第１、２、３項記載の皮下輸液カテーテル。
【請求項５】
膨出部を含む膨出部よりファネル基端部寄りのカテーテルにおいて、少なくともその外表面が抗菌性素材でなることを特徴とする請求項第４項記載の皮下輸液カテーテル。
【請求項６】
糸掛具とアダプタの間のファネル状部を湾曲賦形せしめたことを特徴とする請求項第２、３、４、５項記載の皮下輸液カテーテル。
【考案の詳細な説明】
【技術分野】
【０００１】
本考案は、動物の皮下に留置して、繰り返し輸液投与を行うためのカテーテルに関するものである。
【背景技術】
【０００２】
小動物の皮下輸液治療は、通常動物病院において、医療従事者により翼付の金属針を用いて実施される。しかしながら高齢猫に多発する腎疾患の治療などは、長期に亘り繰り返しの輸液投与が必要であり、頻回の針穿刺を避けるため、皮下にカテーテルを留置しておき、このルートから輸液を行うことがなされている。また飼い主が自宅で輸液治療を行うケースが増えてきているが、一般の人にとって針の穿刺はなかなか困難な作業であるためにカテーテルを留置しておき、これを経由して輸液を行う方法をとることが多い。
カテーテルは、留置中に動物が引き抜いたり、動物の激しい動きで損傷したりすることを避けるべく、通常首の背側に留置される。具体的には、首の背側の毛を刈って穿刺部とし、当該部にメスで小切開を加え、スタイレットを装着したカテーテルを皮下に挿入し、そのまま尾側に向けて押し進めて、所定長挿入したあと、スタイレットを抜去して留置手技は完了する。
【先行技術文献】
【特許文献】
【０００３】
【特許文献１】Pub.No.:US2002/0177838A1「Method and Apparatus for Adminstreing Fluid to Animals Subcutaneosly」
【考案の概要】
【考案が解決しようとする課題】
【０００４】
このように留置位置を選定しても、従来の皮下輸液カテーテルでは、動物の激しい体動により留置中に体外部の刺入部近傍がキンクしたり、破断したりすることが少なくない。またカテーテルが次第に抜け出てくることもある。また繰り返し輸液投与を行ううちに、投与中に投与された輸液が、刺入口から漏れ出すトラブルも少なくない。さらに従来のカテーテルでは、体外部分が体表に沿う形で留置されるため、手元端のアダプタ部が皮膚に接する状態となる。このため、輸液セットとの着脱に際し、アダプタの開口部が体表に触れて汚染されることのないよう、体表面から持ち上げて輸液セットと着脱操作する必要があり、面倒である。また輸液投与中に当該接続部の外表面が体表に触れ、細菌感染のリスクを高めることとなる。
【０００５】
本考案は、このようなカテーテルの体外部でのキンクや、破断、抜去のトラブルが無く、さらには輸液セットの着脱が行いやすく、着脱操作に伴う感染のリスクの小さいカテーテルであって、さらに刺入口からの細菌感染が抑制され、また投与中の輸液の刺入口からの逆流漏出を最小限にとどめることができる皮下輸液カテーテルの提供を目的とする。
【課題を解決するための手段】
【０００６】
このような目的は、本考案の、先端が開口する単一内腔チューブと該チューブのファネル基端部に設けられたアダプタとからなる細径カテーテルにおいて、カテーテル本体のファネル起始部近傍からファネル基端部に向い次第に拡径、厚肉化せしめてファネル状となしたことを特徴とする皮下輸液カテーテルによって達成される。
【０００７】
また前記ファネル状部において、少なくとも外表面が抗菌性素材でなることを特徴とする皮下輸液カテーテルによって達成される。
【０００８】
さらにファネル状部に糸掛具を配したことを特徴とする皮下輸液カテーテルによって達成される。
【０００９】
またカテーテルのファネル起始部から先端寄り近傍位置に、カテーテルの膨出部を設けたことを特徴とする皮下輸液カテーテルによって達成される。
【００１０】
さらに、膨出部を含む膨出部よりファネル基端部寄りのカテーテルにおいて、少なくともその外表面が抗菌性素材でなることを特徴とする皮下輸液カテーテルによって達成される。
【００１１】
また糸掛具とアダプタの間のファネル状部を湾曲賦形せしめたことを特徴とする皮下輸液カテーテルによって達成される。
【考案の効果】
【００１２】
本考案の皮下輸液カテーテルは、上述の通り、体外に留置される部分がファネル状で、ファネル基端部に向い次第に曲げ強度、曲げ剛性が増していて、曲げ強度が大きく、かつ曲げ応力が集中しない形状のため、キンクや、破断のトラブルが効果的に防止される。また、皮膚固定のための糸掛具が備えられ、迅速確実に皮膚固定ができる。さらに刺入口にファネル起始部が挿入されるので、該刺入口からの細菌の侵入が抑制され、投与中の輸液の逆流漏出が防止される。さらに、皮下輸液カテーテルの体内留置部に膨出部を設けることもでき、留置中のカテーテル本体の移動を抑制し、抜去され難くすることができる。また細菌の侵入、増殖を抑制することができる。さらに、体外留置部ならびに体内留置部を抗菌化素材で形成することもでき、細菌の感染リスクを抑制することができる。
【００１３】
以上のように、本考案の皮下輸液カテーテルをもちいることで、カテーテルの体外部でのキンクや、破断、及び抜去のトラブルがなく、さらには輸液セットの着脱が行いやすく、着脱操作に伴う感染のリスクを小さくでき、さらに刺入口からの細菌感染を抑制し、また投与中の輸液の刺入口からの逆流漏出を最小限にとどめることができる。
【図面の簡単な説明】
【００１４】
【図１】本考案の一実施例を示す皮下輸液カテーテルの全体図である。
【図２】ファネル状部に糸掛具を配した皮下輸液カテーテルの平面図である。
【図３】ファネル起始部から先端口に向かう近傍に膨出部を設け、さらにファネル状部に糸掛具を配した皮下輸液カテーテルの平面図である。
【図４】アダプタと糸掛具の間のファネル状部を湾曲賦形した皮下輸液カテーテルの側面図である。
【実施例】
【００１５】
図１は、本考案の皮下輸液カテーテルの一実施例を示す。図２、図３、図４は本考案の皮下輸液カテーテルの他のそれぞれの実施例を示す。
【００１６】
さらに、図面を用いて本考案の皮下輸液カテーテルを詳細に説明する。図１に示すように、本考案の皮下輸液カテーテル１．１は、細長部４とファネル状部５からなるカテーテル本体２と、カテーテル本体２のファネル基端部に配設されたアダプタ３からなり、カテーテル本体２の先端に開口する先端口７を有し、また、先端近傍に複数の側孔６を有する。細長部４の外径は通常１．５〜３ｍｍ、カテーテル本体２の全長は１００〜３００ｍｍである。材質はポリウレタンやナイロンエラストマー、ポリ塩化ビニルなど弾性プラスチックが好適に用いられる。臨床使用に際しては、金属製のスタイレット９を皮下輸液カテーテル１．１の内腔に装着し、該スタイレット９の剛性を利用して皮下に押し込まれる。
【００１７】
さらに、本考案の皮下輸液カテーテル１．１は、カテーテル本体２のファネル起始部８近傍からファネル基端部９にかけて次第に拡径、厚肉化されファネル状となっている。また通常はファネル状部５のファネル起始部８まで体内に押し込んで留置され、体外にはファネル状部５からアダプタ３までが残される。該ファネル状部５は、ファネル基端部９に向い次第に曲げ強度、曲げ剛性が増しているため、曲げ強度が大きく、かつ曲げ応力が集中しない形状であり、キンクや、破断のトラブルが効果的に防止される。ファネル起始部８は、図１に示す通り、細長部４の外径に始まり、これよりやや太径に移行する小区間を指し、該ファネル起始部８までを体内に挿入することで、皮膚の刺入口とカテーテル本体２がタイトに密着され、該刺入口からの細菌の侵入を防止し、さらに投与中の輸液が、カテーテル本体２と該刺入口の間から逆流漏出するのを防止する効果がある。
【００１８】
さらに、ファネル状部５の、少なくとも外表面を抗菌素材化とすることで、付着菌の増殖を抑えることができ、当該部からの逆行感染を抑制することができる。カテーテル表面の抗菌素材化は抗菌剤入りのコーティング剤を塗布することで得られる。また、抗菌剤を含む材料で成形した部材を一体的に結合する方法でも良い。抗菌剤としては、銀イオンを含む無機化合物の粉体、たとえばゼオライト銀、ジルコニア銀などの粉体が、分散調合し易く、マイルドな効果を持続させるため好適である。
【００１９】
図２は、ファネル状部５に、糸掛具１１を配した本考案の皮下輸液カテーテル１．２の実施例を示す。該糸掛具１１は、該糸掛具１１より先端側にファネル起始部８の一部が残るようカテーテル本体２に一体的に接合される。本図に示す糸掛具１１の場合、溝部１２に縫合糸を捲回結紮し皮膚に縫い着けて固定される。このため簡単で確実にカテーテル本体２を皮膚に固定することができ、カテーテル本体２の抜けを防止できる。ここでは図示しないが、糸掛具の両翼に皮膚に縫い着けるための小穴を有する形の糸掛具を用いることもできる。
【００２０】
図３は、細長部４のファネル起始部８から先端口７に向かう近い位置に、膨出部１３を配した本考案の皮下輸液カテーテル１．３の実施例を示す。膨出部１３は、細長部４そのものを当該位置で拡径して形成するこができる。また別に成形した膨出形状部材を細長部４の当該位置に配設固定して形成することもできる。膨出の度合を、大きくすると抜け防止や感染防止の効果はよくなるが、皮下への挿入が難しくなる。このため相反する要素を勘案して、膨出部１３の最大外径を細長部４の外径の１０％〜３０％増し程度とすることが適当である。
【００２１】
さらに膨出部１３を含む膨出部１３よりファネル基端部９寄りのカテーテル本体２において、少なくともその外表面が抗菌性素材でなるようにすることができる。これによりカテーテル表面を伝って皮下に侵入した細菌の増殖が阻止され、結果的に細菌感染が防止される。外表面が抗菌性素材からなる本考案は、先の実施例にある皮下輸液カテーテル１．１または皮下輸液カテーテル１．２のファネル状部表面にも有効である。
【００２２】
図４は、糸掛具１１とアダプタ３の間のファネル状部５．１を湾曲賦形せしめた本考案の皮下輸液カテーテル１．４の実施例を示す。このように湾曲賦形することで、アダプタ３が動物の体表面から持ち上がった状態で、皮下輸液カテーテル１．４を皮膚に固定することができる。これにより、輸液セットの着脱操作に際し、アダプタ３を動物の体表面から持ち上げる必要がなくなり、操作がやり易くなる。また輸液投与中も当該接続部の外表面が動物の体表から離れているので、当該外表面が汚染されることがなく細菌感染のリスクも低く保つことができる。
【符号の説明】
【００２３】
１．１，１．２，１．３，１．４・・・皮下輸液カテーテル
２・・・カテーテル本体
３・・・アダプタ
４・・・細長部
５，５．１・・・ファネル状部
６・・・側孔
７・・・先端口
８・・・ファネル起始部
９・・・ファネル基端部
１０・・・スタイレット
１１・・・糸掛具
１２・・・溝部
１３・・・膨出部
【図１】
0003171083.tif 000003
【図２】
0003171083.tif 000004
【図３】
0003171083.tif 000005
【図４】
0003171083.tif 000006